(57)【要約】      （修正有）【課題】見栄えがよく、部品点数も少なくしたパネルを保持する枠を傾斜させ、裏側から脚で支持するパネルスタンドを提供する。【解決手段】略長方形状のパネルを保持固定する枠本体１０と、前記枠本体１０の上辺の中央を含む丸棒からなる上縁部材と、上縁部材の外周に回転可能に嵌るパイプからなる回転部材２１と、前記回転部材２１に固定される前記回転部材２１の長手方向に直角な方向に延びる棒状体又は板状体からなる脚部材２２と、前記丸棒から突出する突起と、前記回転部材に周方向に沿って設けられる、前記突起が通る位置に形成される長穴であって、前記脚部材２２が前記枠本体１０を支持可能な所定角度にあるときの前記突起に重なる位置を一端とし、前記脚部材２２がこの回転位置から前記枠本体１０に接触する回転位置へ移動したときに前記突起が通ることができる長穴を構成する。【選択図】図２
0003178968.tif 000002
【実用新案登録請求の範囲】
【請求項１】
略長方形状のパネルを保持固定する枠本体と、
前記枠本体の上辺の中央を含む少なくとも一部を構成する丸棒からなる上縁部材と、
上縁部材の外周に回転可能に嵌るパイプからなる回転部材と、
前記回転部材に固定される前記回転部材の長手方向に直角な方向に延びる棒体又は板体からなる脚部材と、
前記丸棒から突出する突起と、
前記回転部材に周方向に沿って設けられる、前記突起が通る位置に形成される長穴であって、前記脚部材が前記枠本体を支持可能な所定角度にあるときの前記突起に重なる位置を一端とし、前記脚部材がこの回転位置から前記枠本体に接触する回転位置へ移動したときに前記突起が通ることができるように形成される長穴と
を有するパネルスタンド。
【請求項２】
前記脚部材は、枠状に形成されることでパネルを保持固定する第二の枠本体を構成する請求項１に記載のパネルスタンド。
【考案の詳細な説明】
【技術分野】
【０００１】
本考案は、ポスターなどのパネルを設置するためのスタンドに関する。
【背景技術】
【０００２】
店頭や街頭に、メニューや広告を載せたパネルを設置する場合に用いられるパネルスタンドは、種々の形態があるが、パネルを保持する枠を斜めに傾斜させ、当該枠を裏側から脚で支持する形態のものは、構造が簡易であり広く用いられている。また、このような形態のパネルスタンドの変形として脚部分も枠を兼用することで両面でパネルを保持するものも使用されている。
このような形態のパネルスタンドは、脚の上端を枠側に折りたためるように軸支されていることが特徴であり、これにより収納時に薄く畳むことができる。
【考案の概要】
【考案が解決しようとする課題】
【０００３】
ところで上述したようなパネルスタンドは、脚の固定において通常は蝶番が用いられるが、蝶番を用いると、蝶番が表出して見た目が悪く、部品点数も多くなりがちである。
本考案は、このような観点に立ち、パネルを保持する枠を傾斜させ、裏側から脚で支持するパネルスタンドにおいて、見栄えがよく、部品点数も少なくすることを課題とする。
【課題を解決するための手段】
【０００４】
上記課題を解決するために、本考案は次のような構成を有する。
請求項１に記載の考案は、略長方形状のパネルを保持固定する枠本体と、前記枠本体の上辺の中央を含む少なくとも一部を構成する丸棒からなる上縁部材と、上縁部材の外周に回転可能に嵌るパイプからなる回転部材と、前記回転部材に固定される前記回転部材の長手方向に直角な方向に延びる棒状体又は板状体からなる脚部材と、前記丸棒から突出する突起と、前記回転部材に周方向に沿って設けられる、前記突起が通る位置に形成される長穴であって、前記脚部材が前記枠本体を支持可能な所定角度にあるときの前記突起に重なる位置を一端とし、前記脚部材がこの回転位置から前記枠本体に接触する回転位置へ移動したときに前記突起が通ることができるように形成された長穴とを有するパネルスタンドである。なお、板状体には板に穴が形成された網状体や枠状体が含まれる。また、回転部材の長手方向に直角な方向に延びるとは、上縁部材を水平にして脚部材を鉛直に垂らしたときに、脚部材の鉛直軸に垂直な断面の重心を連ねた線がほぼ鉛直であることを意味する。
請求項２に記載の考案は、前記パネルスタンドにおいて、前記脚部材は、前記パネルスタンドにおいて枠状に形成されることでパネルを保持固定する第二の枠本体を構成するものである。
【考案の効果】
【０００５】
上記のような構成により本考案は、次のような効果を奏する。
請求項１に記載の考案は、脚部材は枠の上縁を構成する丸棒に回転するパイプからなる回転部材により回転可能に支持されるので、蝶番に比較して目立つことがなく、かつ、部品点数も少なくすることができる。
請求項２に記載の考案は、脚部材を第二の枠本体とすることで、両面をパネルの提示に使用できる。
【図面の簡単な説明】
【０００６】
【図１】実施形態１に係るパネルスタンドの斜視図である。
【図２】実施形態１に係るパネルスタンドの分解斜視図である。
【図３】（ａ）は実施形態１に係るパネルスタンドの閉いた状態における突起部での拡大縦断面図であり、（ｂ）は実施形態１に係るパネルスタンドの閉じた状態における突起部での拡大縦断面図である。
【図４】実施形態２に係るパネルスタンドの斜視図である。
【図５】実施形態２に係るパネルスタンドの分解斜視図である。
【図６】変形例に係るパネルスタンドの斜視図である。
【図７】変形例に係るパネルスタンドの閉じた状態における突起部での拡大縦断面図である。
【考案を実施するための形態】
【０００７】
以下、本考案の実施の形態について、図面を参照しながら説明する。
（実施形態１）
図１に実施形態１に係るパネルスタンドＸの斜視図を示し、図２にパネルスタンドＸの分解斜視図を示す。パネルスタンドＸは、枠本体１０と、脚２０とから構成される。枠本体１０は長方形状であり、上辺を構成する上部パイプ１１、下辺を構成する下部パイプ１２、側辺を構成する二本の側部パイプ１３を、９０度のパイプ継手であるエルボ１４で接合することで枠状に形成さいたものである。なお、エルボ１４には表面から裏面まで貫く貫通孔に雌ネジが切られた雌ネジ孔が形成され、当該雌ネジ孔に重なる孔を有する二等辺三角形状の板体からなる支持板１５が接着固定されている。脚２０は、上部パイプ１１外周面に緩やかに嵌る内周面を有するパイプからなる回転部材２１と、回転部材２１の長手方向に直角な方向に延びるように回転部材２１の中央に基端部が固定されるパイプ体からなり、先端側に回転部材２１に平行なパイプ体からなる足部が設けられる脚部材２２とから構成される。上部パイプ１１の中央には貫通孔１１ｂが設けられるとともに、当該貫通孔１１ｂにネジＳが嵌り固定されることで、ネジＳのネジ頭により突起１１ａが形成される。そして、回転部材２１には当該突起１１ａが通る周方向に沿った長穴２１ａが形成される。図３に突起１１ａ部分における拡大縦断面図を示す。長穴２１ａは、図３（ａ）及び図１に示すように脚部材２２が枠本体１０に対して斜めになって枠本体１０を支持できる所定の角度から、脚部材２２が図３（ｂ）に示すように枠本体１０に近接して折りたたまれた状態に至る角度まで移動したときに回転部材２１に対して突起１１ａが通る軌跡に略一致するように形成されている。
パネルスタンドＸを組み立てる際は、上部パイプ１１に回転部材２１を通した後に、上部パイプの雌ネジ孔に回転部材２１の長穴を通るようにして突起１１ａとなるネジを通して固定し、その後、枠本体１０を組み立てるようにすればよい。そして、パネルスタンドＸを使用する場合には、枠本体１０の四隅に形成されるエルボ１４の雌ネジ孔を利用してパネルをネジ止めし、図１に示すように脚部材２２を斜めにして地面に設置すればよい。
パネルスタンドＸは、このような構造により、構造的に強固であり、蝶番を用いずに脚２０を回転できるようにできるので見栄えがよく、部品点数も少なくてすむので低コストで製造することができる。
【０００８】
（実施形態２）
図４に実施形態２に係るパネルスタンドＹの斜視図を示し、図５にパネルスタンドＸの分解斜視図を示す。パネルスタンドＹは、枠本体１０、第二枠本体３０、回転部材４０とから構成される。枠本体１０と第二枠本体３０とは実施形態１に係る枠本体と同じ構造である。回転部材４０は、実施形態１に係る回転部材２１を、接続面に関して対称なるように、平行に揃えて一体固定したものである。枠本体１０から見ると第二枠本体３０は脚部材となり、第二枠本体３０から見ると枠本体１０は脚部材となる。なお、実施形態２に係るパネルスタンドＹは、回転部材４０は、２箇所で実施形態１に係る回転部材と同じ角度だけ回転するので、これを調節するために長穴の長さを短く調節してもよい。
【０００９】
以上のような構造を有するパネルスタンドＹは、組み立てる際は、枠本体１０、第二枠本体３０の上部パイプに回転部材４０のそれぞれのパイプを通した後に、枠本体１０側及び第二枠本体３０の上部パイプのそれぞれの雌ネジ孔に回転部材４０の長穴を通るようにして突起１１ａとなるネジＳを通して固定し、その後、枠本体１０、第二枠本体３０を組み立てるようにすればよい。そして、パネルスタンドＹを使用する場合には、枠本体１０及び第二枠本体３０の四隅に形成されるエルボの雌ネジ孔を利用してパネルをネジ止めし、図４に示すように枠本体１０、第二枠本体３０を互いに斜めにして地面に設置すればよい。
パネルスタンドＹも、パネルスタンドＸ同様に、構造的に強固であり、蝶番を用いずに枠本体１０と第二枠本体３０とを互いに回転できるようにできるので見栄えがよく、部品点数も少なくてすむので低コストで製造することができる。
【００１０】
なお、上記実施形態では、枠本体１０、第二枠本体３０のパネルを固定する手段として四隅に雌ネジ孔を設けたが、パネルを固定する手段はどのようなものでもよく、例えば、図６に示すように、下方からパネルを支持するＣチャンネル１６のようなものを採用してもよい。
さらに、上記実施形態では枠本体１０、第二枠本体３０をパイプとエルボで形成しているが、上部パイプが断面円形のパイプ又は棒体であれば、それ以外の部分はどのような構成でもよく、角パイプを組み立てた構造や上下のエルボの縦方向のパイプを伸延して結合した部材を、上部パイプと下部パイプで連結するような構造等種々の変形が可能である。
それから、脚の形状も枠本体１０を支持できればよいので、実施形態２に示すように枠状に形成してもよく、２本の棒体で形成する等種々の変形が可能である。
そして、実施形態１において、回転部材２１の長穴は一つだけ設けているが、突起を上部パイプの中心に対称に２箇所設け、これに対応して長穴を二つ設けるようにしてもよい。具体例を図７（ａ）（ｂ）の突起部分における拡大縦断面図に示す。この場合、突起を構成するねじＳを先端から金属パイプを嵌めてからかしめることで、容易にぬけなくすることができる。
さらに、実施形態２では枠本体１０及び第二枠本体３０の上部パイプ１１の両方で突起１１ａを設け、これに対応する回転部材４０の両方のパイプに長穴を設けているが、一方の上部パイプ１１の突起を無くすとともに無くしたほうのパイプの長穴も無くし、当該パイプを上部パイプに動かないように固定してもよい。
【符号の説明】
【００１１】
Ｘ、Ｙ  パネルホルダ
１０  枠本体
１１  上部パイプ
１１ａ  突起
２０  脚
２１、４０  回転部材
２１ａ  長穴
２２  脚部材
３０  第二枠本体
【図１】
0003178968.tif 000003
【図２】
0003178968.tif 000004
【図３】
0003178968.tif 000005
【図４】
0003178968.tif 000006
【図５】
0003178968.tif 000007
【図６】
0003178968.tif 000008
【図７】
0003178968.tif 000009